(57)【要約】【課題】ユーザの所望する目的の事項の検索を支援する。【解決手段】本開示の一態様にかかる検索装置（100）は、少なくとも１つのキーワードを目的別に記憶するキーワード記憶手段（21）と、ｗｅｂサイトの情報を目的別に記憶するサイト記憶手段（22）と、キーワードを入力する入力手段（11）と、入力手段（11）から入力されたキーワードと、キーワード記憶手段（21）に記憶されている目的別のキーワードと、を組み合わせて目的別にｗｅｂ検索を行う検索手段（12）と、検索手段（12）で得られた所定の順位以上の目的別の検索結果の中に、サイト記憶手段（22）に記憶されている目的別のｗｅｂサイトの情報に合致する目的別の検索結果がある場合に、当該検索結果をユーザに通知する検索結果通知手段（14）と、を有して構成する。【選択図】図１
2015022559.tif 000002
【特許請求の範囲】
【請求項１】
ユーザの所望する事項を検索する検索装置であって、
少なくとも１つのキーワードを目的別に記憶するキーワード記憶手段と、
ｗｅｂサイトの情報を目的別に記憶するサイト記憶手段と、
キーワードを入力する入力手段と、
前記入力手段から入力されたキーワードと、前記キーワード記憶手段に記憶されている目的別のキーワードと、を組み合わせて目的別にｗｅｂ検索を行う検索手段と、
前記検索手段で得られた所定の順位以上の目的別の検索結果の中に、前記サイト記憶手段に記憶されている目的別のｗｅｂサイトの情報に合致する目的別の検索結果がある場合に、当該検索結果を前記ユーザに通知する検索結果通知手段と、
を有することを特徴とする検索装置。
【請求項２】
所定の順位以上の目的別の検索結果の中に、前記目的別のｗｅｂサイトの情報に合致する目的別の検索結果がある場合に、検索結果がある旨を前記ユーザに通知する通知手段を有し、
前記検索結果通知手段は、
検索結果がある旨を前記ユーザに通知した後に、前記検索結果の要求を受け付けた場合に、その要求を受け付けた目的別の検索結果を前記ユーザに通知する、ことを特徴とする請求項１記載の検索装置。
【請求項３】
表示手段に表示された情報からキーワードを抽出する抽出手段を有し、
前記入力手段は、
前記抽出手段が抽出したキーワードを入力する、ことを特徴とする請求項１または請求項２記載の検索装置。
【請求項４】
ユーザの所望する事項を検索する検索システムであって、
少なくとも１つのキーワードを目的別に記憶するキーワード記憶手段と、
ｗｅｂサイトの情報を目的別に記憶するサイト記憶手段と、
キーワードを入力する入力手段と、
前記入力手段から入力されたキーワードと、前記キーワード記憶手段に記憶されている目的別のキーワードと、を組み合わせて目的別にｗｅｂ検索を行う検索手段と、
前記検索手段で得られた所定の順位以上の目的別の検索結果の中に、前記サイト記憶手段に記憶されている目的別のｗｅｂサイトの情報に合致する目的別の検索結果がある場合に、当該検索結果を前記ユーザに通知する検索結果通知手段と、
を有することを特徴とする検索システム。
【請求項５】
ユーザの所望する事項を検索するコンピュータに実行させるプログラムであって、
キーワードを入力する入力処理と、
前記入力処理から入力されたキーワードと、少なくとも１つのキーワードを目的別に記憶するキーワード記憶手段に記憶されている目的別のキーワードと、を組み合わせて目的別にｗｅｂ検索を行う検索処理と、
前記検索処理で得られた所定の順位以上の目的別の検索結果の中に、ｗｅｂサイトの情報を目的別に記憶するサイト記憶手段に記憶されている目的別のｗｅｂサイトの情報に合致する目的別の検索結果がある場合に、当該検索結果を前記ユーザに通知する検索結果通知処理と、を、前記コンピュータに実行させることを特徴とするプログラム。
【発明の詳細な説明】
【技術分野】
【０００１】
本開示は、ユーザの所望する事項を検索する技術に関する。
【背景技術】
【０００２】
近年、インターネットを利用してユーザの所望する事項を調べることができる。
【０００３】
例えば、インターネット上には様々な検索サイトが存在する。ユーザはこの検索サイトを利用して検索条件を指定することで、その検索条件に適合した検索結果をインターネットから取得することができる。
【０００４】
ｗｅｂ検索エンジンは、ユーザが検索キーワードを指定することで、その検索キーワードを含んだｗｅｂページの閲覧を可能とする情報（ｗｅｂページのＵＲＬ（Uniform Resource Locator）情報）を検索結果としてユーザに提供することが可能である。また、ｗｅｂページのＵＲＬだけではなく、インターネット上に公開されている画像情報などを検索結果としてユーザに提供することも可能である。
【０００５】
なお、複数の検索キーワードによるＡＮＤ検索、ＯＲ検索、マイナス検索などの様々な検索キーワードの組み合わせによる検索条件の設定が可能なｗｅｂ検索エンジンも存在する。しかし、この種のｗｅｂ検索エンジンを使用する場合は、検索に慣れていないユーザにとっては、適切な検索キーワードを指定するのが難しいという問題がある。
【０００６】
また、ユーザは、多くの検索結果の中から１つ１つの検索結果の内容を確認して実際にユーザの所望する目的の事項を調べることになる。しかし、多くの検索結果の中にはユーザの所望する目的の事項が記載されていない期待はずれの検索結果も多数存在する。このため、多くの検索結果の中からユーザの所望する目的の事項が記載された検索結果を探すのに時間がかかってしまう場合がある。また、ユーザの所望する目的の事項を調べるための操作回数が多くなり検索に手間がかかってしまう場合がある。
【０００７】
このようなことから、ユーザの所望する目的の事項の検索を支援することが可能な仕組みの開発が所望されている。
【０００８】
なお、本発明より先に出願された技術文献として、特許文献１（特開平６−２５９４７９号公報）には、利用者の文献検索の効率化を支援する技術について開示されている。
【０００９】
上記特許文献１では、利用者の想定しているキーワードの同義語、類似語、その他の関連の深い関連語などからキーワード間の関係を定義したものを予め用意しておく。そして、文献の検索時に利用者により入力されたキーワードと関係するキーワードを使ってデータの検索を行う。そして、その検索件数を比較評価することにより、入力キーワードにより利用者が意図した意味内容と、そのキーワードがデータに付与されたときの意味内容と、が同一であるかどうかを判断する。そして、同一でないと判断された場合は、利用者に通知する。また、利用者が意図した意味内容に近い付与キーワードに置き換えて検索の支援を行うことにしている。
【００１０】
これにより、入力キーワード及び入力キーワードに関係する別のキーワード、あるいはそれらを組み合わせた検索を行い、キーワードの検索漏れや、誤検索を防止することを可能にしている。
【先行技術文献】
【特許文献】
【００１１】
【特許文献１】特開平６−２５９４７９号公報
【発明の概要】
【発明が解決しようとする課題】
【００１２】
上述した特許文献１には、入力キーワード及び入力キーワードに関係する別のキーワード、あるいはそれらを組み合わせた検索を行う点について開示されている。
【００１３】
しかし、特許文献１では、文献検索に特化した技術について開示されており、目的別に検索を行うことについては何ら考慮されていない。
【００１４】
本開示の目的は、ユーザの所望する目的の事項の検索を支援することが可能な検索装置を提供することにある。
【課題を解決するための手段】
【００１５】
本開示の一態様にかかる検索装置は、
ユーザの所望する事項を検索する検索装置であって、
少なくとも１つのキーワードを目的別に記憶するキーワード記憶手段と、
ｗｅｂサイトの情報を目的別に記憶するサイト記憶手段と、
キーワードを入力する入力手段と、
前記入力手段から入力されたキーワードと、前記キーワード記憶手段に記憶されている目的別のキーワードと、を組み合わせて目的別にｗｅｂ検索を行う検索手段と、
前記検索手段で得られた所定の順位以上の目的別の検索結果の中に、前記サイト記憶手段に記憶されている目的別のｗｅｂサイトの情報に合致する目的別の検索結果がある場合に、当該検索結果を前記ユーザに通知する検索結果通知手段と、
を有することを特徴とする。
【発明の効果】
【００１６】
本開示の一態様によれば、ユーザの所望する目的の事項の検索を支援することができる。
【図面の簡単な説明】
【００１７】
【図１】本実施形態の検索システムのシステム構成例を示す図である。
【図２】キーワード辞書格納部21のデータ構成例を示す図である。
【図３】サイト辞書格納部22のデータ構成例を示す図である。
【図４】ｗｅｂページの表示画面例を示す図である。
【図５】検索システムの一連の処理動作例を示す図である。
【図６】検索システムの別の処理動作例を示す図である。
【図７】検索システムの別の処理動作例を示す図である。
【発明を実施するための形態】
【００１８】
（本開示の一態様にかかる検索装置100の実施形態の概要）
まず、図１を参照しながら、本開示の一態様にかかる検索装置100の実施形態の概要について説明する。図１は、本実施形態の検索装置100の構成例を示す図である。
【００１９】
本開示の一態様にかかる検索装置100は、ユーザの所望する事項を検索する検索装置100である。
【００２０】
本開示の一態様にかかる検索装置100は、キーワード記憶手段、サイト記憶手段、入力手段、検索手段、検索結果通知手段を有して構成する。
【００２１】
キーワード記憶手段は、少なくとも１つのキーワードを目的別に記憶する。キーワード記憶手段は、キーワード辞書格納部21に相当する。
【００２２】
サイト記憶手段は、ｗｅｂサイトの情報を目的別に記憶する。サイト記憶手段は、サイト辞書格納部22に相当する。
【００２３】
入力手段は、キーワードを入力する入力処理を行う。入力手段は、情報解析部11に相当する。
【００２４】
検索手段は、入力手段から入力されたキーワードと、キーワード記憶手段に記憶されている目的別のキーワードと、を組み合わせて目的別にｗｅｂ検索を行う検索処理を行う。検索手段は、検索部12に相当する。
【００２５】
検索結果通知手段は、検索手段で得られた所定の順位以上の目的別の検索結果の中に、サイト記憶手段に記憶されている目的別のｗｅｂサイトの情報に合致する目的別の検索結果がある場合に、当該検索結果をユーザに通知する検索結果通知処理を行う。検索結果通知手段は、検索結果表示部14に相当する。
【００２６】
本開示の一態様にかかる検索装置100は、入力手段から入力されたキーワードと、キーワード記憶手段に記憶されている目的別のキーワードと、を組み合わせて目的別にｗｅｂ検索を行い、目的別の検索結果を得る。そして、所定の順位以上の目的別の検索結果の中に、サイト記憶手段に記憶されている目的別のｗｅｂサイトの情報に合致する目的別の検索結果がある場合に、当該検索結果をユーザに通知する。
【００２７】
これにより、本開示の一態様にかかる検索装置100は、入力手段から入力されたキーワードと、キーワード記憶手段に記憶されている目的別のキーワードと、を組み合わせて目的別にｗｅｂ検索を行って得られた所定の順位以上の目的別の検索結果の中に、サイト記憶手段に記憶されている目的別のｗｅｂサイトの情報に合致する目的別の検索結果がある場合に、当該検索結果をユーザに提供することができる。
【００２８】
入力手段から入力されたキーワードと、キーワード記憶手段に記憶されている目的別のキーワードと、を組み合わせて目的別にｗｅｂ検索を行って得られた検索結果では、目的に合致する自然な検索結果が得られない場合がある。このため、本開示の一態様にかかる検索装置１００は、所定の順位以上の目的別の検索結果の中に、サイト記憶手段に記憶されている目的別のｗｅｂサイトの情報に合致する目的別の検索結果がある場合に、当該検索結果をユーザに提供することにしている。ユーザは、その目的別の検索結果を調べることで、ユーザの所望する目的の事項を容易に調べることができる。その結果、ユーザの所望する目的の事項の検索を支援することができる。以下、添付図面を参照しながら、本開示の一態様にかかる検索装置100の実施形態について詳細に説明する。
【００２９】
＜検索システムのシステム構成例＞
まず、図１を参照しながら、本実施形態の検索システムのシステム構成例について説明する。図１は、本実施形態の検索システムのシステム構成例を示す図である。
【００３０】
本実施形態の検索システムは、検索装置100とサーバ200とがネットワークNWを介して接続して構成している。検索装置100、サーバ200は、ネットワークNWを介して互いに通信可能になっている。ネットワークNWは、検索装置100とサーバ200との間で各種情報通信が可能であれば、有線、無線を問わず、あらゆる通信形態が適用可能である。
【００３１】
本実施形態の検索装置100は、指定された検索条件に適合した検索結果をサーバ200から取得する。図１に示す検索システムでは、１つのサーバ200を示しているが、サーバ200は、１つに限定せず、複数のサーバ200を有して構成する。
【００３２】
＜検索装置100の構成例＞
次に、図１を参照しながら、本実施形態の検索装置100の構成例について説明する。
【００３３】
本実施形態の検索装置100は、制御部10、記憶部20、表示入力部30を有して構成する。
【００３４】
記憶部20は、各種情報を記憶する。記憶部20は、キーワード辞書格納部21、サイト辞書格納部22を有して構成する。
【００３５】
キーワード辞書格納部21は、図２に示すように、キーワード辞書を目的毎に格納する。キーワード辞書は、目的に対応する少なくとも１つのキーワードで構成する。図２では、『行きたい』、『見たい』、『買いたい』、『知りたい』、の４つの目的別にキーワード辞書を格納している。
【００３６】
例えば、『行きたい』の目的に対応するキーワード辞書は、ツアー、チケット、交通、ホテルなどのキーワード群で構成している。また、『見たい』の目的に対応するキーワード辞書は、テレビ番組表、上映、鑑賞、見物、開催、会場などのキーワード群で構成している。キーワード辞書格納部21に目的別に格納するキーワード辞書は、検索を開始する前に記憶しておく。キーワード辞書は、学習機能を利用して随時更新して最新の状態にしておくことが好ましい。
【００３７】
サイト辞書格納部22は、図３に示すように、サイト辞書を目的毎に格納する。サイト辞書は、目的に対応する少なくとも１つのｗｅｂサイトの情報で構成する。図３では、『行きたい』、『見たい』、『買いたい』、『知りたい』、の４つの目的別にキーワード辞書を格納している。キーワード辞書格納部21とサイト辞書格納部22とは同じ目的別に辞書を格納する。
【００３８】
例えば、『行きたい』の目的に対応するサイト辞書は、ツアーサイト、チケットサイト、交通サイト、ホテルサイトなどのサイト群の情報で構成している。また、『見たい』の目的に対応するキーワード辞書は、テレビサイト、映画サイト、鑑賞サイトなどのサイト群の情報で構成している。サイト辞書格納部22に目的別に格納するサイト辞書は、検索を開始する前に記憶しておく。サイト辞書は、学習機能を利用して随時更新して最新の状態にしておくことが好ましい。
【００３９】
表示入力部30は、各種情報を入力したり表示したりする。例えば、検索装置100がサーバ200から取得したｗｅｂページを表示する。ｗｅｂページを表示入力部30に表示した表示画面例を図４に示す。図４は、ｗｅｂページの表示画面例を示す。
【００４０】
図４に示す表示画面は、表示画面の下部に保存ボタン41、発信ボタン群42、レコメンドボタン群43が表示されている。
【００４１】
保存ボタン41は、表示入力部30に表示されているｗｅｂページの情報を記憶部20に記憶させる操作を行うためのボタンである。この保存ボタン41をクリックすることで、表示入力部30に表示されているｗｅｂページの情報を記憶部20に記憶することができる。
【００４２】
発信ボタン群42は、表示入力部30に表示されているｗｅｂページの情報に対するユーザの意見を発信するためのボタンである。この発信ボタン群42のボタンをクリックすることで、ｗｅｂページの情報に対するユーザの意見を発信することができる。発信ボタン群42は、例えば、「いいね」ボタン、「コメント」ボタン、「ツィート」ボタンなどで構成する。
【００４３】
レコメンドボタン群43は、表示入力部30に表示されているｗｅｂページの情報に関連する情報を目的別に表示入力部30に表示させる操作を行うためのボタンである。このレコメンドボタン群43のボタンをクリックすることで、ｗｅｂページの情報に関連する情報を目的別に表示入力部30に表示させることができる。
【００４４】
レコメンドボタン群43は、キーワード辞書格納部21、サイト辞書格納部22を構成する目的別のボタンで構成する。このため、本実施形態では、『行きたい』、『見たい』、『買いたい』、『知りたい』の４つのボタンで構成している。この４つのボタンの何れかのボタンがクリックされると、そのクリックされたボタンの目的別にｗｅｂページの情報に関連する情報を表示入力部30に表示させることができる。
【００４５】
制御部10は、検索装置100を統括して制御する。制御部10は、情報解析部11、検索部12、検索結果選別部13、検索結果表示部14を有して構成する。
【００４６】
情報解析部11は、表示入力部30に表示されたｗｅｂページ上の文書を解析し、その文書の中からそのｗｅｂページの内容を表す代表的なキーワードを抽出する。
【００４７】
例えば、ｗｅｂページ中のタイトル欄などを中心に形態素解析などを行い、ｗｅｂページの内容を表す代表的なキーワード（名詞）を複数個抽出する。なお、情報解析部11は、表示入力部30に表示されたｗｅｂページ上の文書だけに限定せず、表示入力部30に表示されていないｗｅｂページの文書の中からキーワードを抽出することも可能である。但し、ユーザが注目しているｗｅｂページ上の文書を解析し、その文書の中からキーワードを抽出することが好ましい。ユーザが注目しているｗｅｂページか否かを判定する方法としては、表示入力部30に表示されているｗｅｂページの表示時間が所定時間以上である場合に、そのｗｅｂページをユーザが注目していると判定する方法がある。ユーザが注目しているｗｅｂページであれば、そのｗｅｂページの閲覧時間が長くなるため、そのｗｅｂページの表示時間に基づいてユーザが注目しているｗｅｂページか否かを判定することができる。
【００４８】
検索部12は、情報解析部11がｗｅｂページから抽出した代表的なキーワードと、キーワード辞書格納部21に格納されている目的別のキーワード辞書を構成するキーワード群と、を組み合わせて目的別にｗｅｂ検索を行う。
【００４９】
キーワード辞書格納部21に格納されている目的別のキーワード群は、図２に示すキーワード群である。このため、検索部12は、情報解析部11がｗｅｂページから抽出したキーワードと、図２に示すキーワード群と、を組み合わせ、目的別の検索キーワードを作成する。検索部12は、目的別の検索キーワードを基に、目的別にｗｅｂ検索を行い、目的別の検索結果を得る。
【００５０】
検索結果選別部13は、検索部12が目的別に検索した検索結果と、サイト辞書格納部22に格納されている目的別のサイト辞書を構成するサイト群と、を比較する。この場合、検索結果選別部13は、検索部12が目的別に検索した検索結果の中で上位から所定番目（例えば、２０番目）までにランクインする検索結果と、目的別のサイト辞書を構成するサイト群と、を比較する。検索部12が目的別に検索した検索結果の中で上位から所定番目までにランクインする検索結果だけを使って目的別のサイト辞書を構成するサイト群と比較することで、目的に合致しない不自然な検索結果を排除することができる。検索対象とする所定番目は、ユーザが任意に設定することが可能である。
【００５１】
サイト辞書格納部22に格納されている目的別のサイト群は、図３に示すサイト群である。このため、検索結果選別部13は、検索部12が目的別に検索した上位所定番目までにランクインした検索結果と、サイト辞書格納部22に格納されている目的別のサイト群と、を比較する。検索結果選別部13は、検索部12が目的別に検索した上位所定番目までにランクインした検索結果の中に、サイト辞書格納部22に格納されている目的別のサイト群に合致する検索結果がある場合は、目的別のサイト群に合致する検索結果がある旨を目的別にユーザに通知する。ユーザに通知する方法は特に限定せず、任意の方法で通知することが可能である。例えば、表示入力部30にその旨の画像を表示して通知したり、音声で通知したりすることが可能である。
【００５２】
検索結果表示部14は、目的別のサイト群に合致する検索結果を表示入力部30に表示する。
【００５３】
検索結果を表示入力部30に表示する方法としては、ユーザから検索結果の閲覧要求を受け付けた場合に、その閲覧要求を受け付けた目的に対応する検索結果を表示入力部30に表示する。なお、検索結果表示部14は、目的別のサイト群に合致する検索結果をユーザに通知することが可能であれば、その方法は特に限定せず、音声で検索結果を通知することも可能である。
【００５４】
＜検索システムの処理動作例＞
次に、図５を参照しながら、本実施形態の検索システムの処理動作例について説明する。図５は、本実施形態の検索システムの一連の処理動作例を示す図である。
【００５５】
まず、情報解析部11は、表示入力部30に表示されたｗｅｂページ上の文書を解析し、その文書の中からそのｗｅｂページの内容を表す代表的なキーワードを抽出する（ステップS1）。
【００５６】
例えば、図４に示すｗｅｂページが表示入力部30に表示されている場合、情報解析部11は、図４に示すｗｅｂページ中のタイトル欄などを中心に形態素解析などを行い、『ザックＪ、ザック、６日、６、ＵＡＥ戦、ＵＡＥ、センターバック、争い、サッカー、日本代表、日本、代表』などのｗｅｂページの内容を表す代表的なキーワードを抽出する。
【００５７】
検索部12は、情報解析部11がｗｅｂページから抽出した代表的なキーワードと、キーワード辞書格納部21に格納されている目的別のキーワード辞書を構成するキーワード群と、を組み合わせた検索キーワードを作成する（ステップS2）。
【００５８】
キーワード辞書格納部21に格納されている目的別のキーワード群は、図２に示すキーワード群である。このため、検索部12は、情報解析部11がｗｅｂページから抽出した代表的なキーワード『ザックＪ、ザック、６日、６、ＵＡＥ戦、ＵＡＥ、センターバック、争い、サッカー、日本代表、日本、代表』と、図２に示すキーワード群と、を組み合わせ、目的別の検索キーワードを作成する。
【００５９】
例えば、『行きたい』の目的に対するキーワード辞書は、ツアー、チケット、交通、ホテルなどのキーワード群で構成している。このため、『行きたい』の目的に対する検索キーワードは、『ザックＪ、ザック、６日、６、ＵＡＥ戦、ＵＡＥ、センターバック、争い、サッカー、日本代表、日本、代表』＋『ツアー、チケット、交通、ホテル』となる。
【００６０】
また、『見たい』の目的に対するキーワード辞書は、テレビ番組表、上映、鑑賞、見物、開催、会場などのキーワード群で構成している。このため、『見たい』の目的に対する検索キーワードは、『ザックＪ、ザック、６日、６、ＵＡＥ戦、ＵＡＥ、センターバック、争い、サッカー、日本代表、日本、代表』＋『テレビ番組表、上映、鑑賞、見物、開催、会場』となる。
【００６１】
検索部12は、『行きたい』、『見たい』、『買いたい』、『知りたい』の目的別に、上述した検索キーワードを作成する。なお、上述した検索キーワードは、情報解析部11がｗｅｂページから抽出した代表的なキーワード『ザックＪ、ザック、６日、６、ＵＡＥ戦、ＵＡＥ、センターバック、争い、サッカー、日本代表、日本、代表』を全て使用して作成している。しかし、一部の代表的なキーワードを使用して検索キーワードを作成することも可能である。なお、キーワード辞書についても全てのキーワードを使用せず、一部のキーワードを使用して検索キーワードを作成することも可能である。
【００６２】
すなわち、情報解析部11がｗｅｂページから抽出した代表的なキーワードと、キーワード辞書格納部21に格納されている目的別のキーワード辞書を構成するキーワード群と、を組み合わせた検索キーワードであれば、その検索キーワードの作成方法は、任意の方法で作成することが可能である。
【００６３】
検索部12は、上記作成した検索キーワードを基に、ｗｅｂ検索を行う（ステップS3）。これにより、検索部12は、『行きたい』、『見たい』、『買いたい』、『知りたい』の目的別の検索結果を得ることになる。
【００６４】
検索結果選別部13は、検索部12が目的別に検索した検索結果と、サイト辞書格納部22に格納されている目的別のサイト辞書を構成するサイト群と、を比較する（ステップS4）。この場合、検索結果選別部13は、検索部12が目的別に検索した検索結果の中で上位から所定番目（例えば、２０番目）までにランクインする検索結果と、目的別のサイト辞書を構成するサイト群と、を比較する。
【００６５】
サイト辞書格納部22に格納されている目的別のサイト群は、図３に示すサイト群である。このため、検索結果選別部13は、検索部12が目的別に検索した上位所定番目までにランクインした検索結果と、サイト辞書格納部22に格納されている目的別のサイト群と、を比較する。
【００６６】
検索結果選別部13は、検索部12が目的別に検索した上位所定番目までにランクインした検索結果の中に、サイト辞書格納部22に格納されている目的別のサイト群に合致する検索結果があるか否かを判定する（ステップS5）。検索結果選別部13は、目的別のサイト群に合致する検索結果がある場合は（ステップS5/Yes）、目的別のサイト群に合致する検索結果があることを目的別にユーザに通知する（ステップS6）。
【００６７】
例えば、図４に示すレコメンドボタン群43の中で、目的別のサイト群に合致する検索結果がある目的に対応するボタンを点滅させたり色を変えたりしてユーザに通知する。これにより、レコメンドボタン群43の中でサイト群に合致する検索結果がある目的のボタンをユーザに通知することができる。
【００６８】
なお、ユーザに通知する方法は特に限定せず、任意の方法で通知することが可能である。例えば、図４では、レコメンドボタン群43は、４つの目的別のボタンで構成している。しかし、目的別のボタンが多い場合は、レコメンドボタン群43の中でサイト群に合致する検索結果がある目的のボタンだけを表示入力部30に表示してユーザに通知するようにすることも可能である。なお、ステップS5で目的別のサイト群に合致する検索結果がない場合は（ステップS5/No）、何もせずに処理を終了する（End）。
【００６９】
検索結果表示部14は、検索結果の閲覧要求がある場合に（ステップS7/Yes）、その閲覧要求があった目的別のサイト群に合致する検索結果を表示入力部30に表示する（ステップS8）。
【００７０】
例えば、図４に示すレコメンドボタン群43の中でサイト群に合致する検索結果がある目的のボタンがクリックされた場合に、検索結果表示部14は、検索結果の閲覧要求があったと判定する（ステップS7/Yes）。この場合、検索結果表示部14は、クリックされた目的のボタンに対応する目的の検索結果を表示入力部30に表示する（ステップS8）。
【００７１】
例えば、図４に示す『行きたい』のボタンがクリックされた場合は、『行きたい』の目的の検索結果である『試合会場の地図』を表示入力部30に表示する。また、『見たい』のボタンがクリックされた場合は、『見たい』の目的の検索結果である『放映のあるＴＶ局の該当ページ』を表示入力部30に表示する。また、『買いたい』のボタンがクリックされた場合は、『買いたい』の目的の検索結果である『サッカーグッズの該当ページ』を表示入力部30に表示する。また、『知りたい』のボタンがクリックされた場合は、『知りたい』の目的の検索結果である『監督のWikipediaの該当ページ』を表示入力部30に表示する。
【００７２】
このように、本実施形態の検索システムは、表示入力部30に表示されたｗｅｂページから抽出したキーワードと、目的別のキーワード群と、を組み合わせた検索キーワードを基に、ｗｅｂページの内容に関連する目的別のｗｅｂ検索を行う（ステップS3）。図４に示すｗｅｂページは、サッカーの日本代表に関するｗｅｂページである。このため、本実施形態の検索システムは、この図４に示すｗｅｂページの内容に関連する、『行きたい』、『見たい』、『買いたい』、『知りたい』の目的別のｗｅｂ検索を行う（ステップS3）。これにより、ユーザは、キーワードの入力操作を行わずに、目的別の検索結果を得ることができる。また、目的別のキーワード群を自動的に付与してｗｅｂ検索を行うため、ユーザは、キーワードを検討することなく、目的別の検索結果を自動的に得ることができる。
【００７３】
次に、所定の順位以上の目的別の検索結果と、目的別のサイト群と、を比較し（ステップS4）、所定の順位以上の目的別の検索結果の中に、目的別のサイト群に合致する検索結果があるか判定する（ステップS5）。所定の順位以上の目的別の検索結果の中に、目的別のサイト群に合致する検索結果がある場合は（ステップS5/Yes）、目的別のサイト群に合致する検索結果がある旨をユーザに通知する（ステップS6）。そして、ユーザからの閲覧要求があった場合に（ステップS7/Yes）、その閲覧要求があった検索結果を表示入力部30に表示する（ステップS8）。これにより、所定の順位以上の目的別の検索結果の中で目的別のサイト群に合致する検索結果だけを容易に閲覧することができる。また、ｗｅｂページの閲覧中に、目的別のサイト群に合致する検索結果がある旨をユーザに通知するため、その目的別のサイト群に合致する検索結果の閲覧のみにユーザを誘導することができる。
【００７４】
なお、図５に示す処理動作例では、図４に示すように、ｗｅｂページの閲覧中に目的別のボタン（レコメンドボタン群43）を表示入力部30に表示し、その目的別のボタンのクリックが行われた場合に、ユーザからの閲覧要求があったと判断し、その閲覧要求があったボタンに対応する目的の検索結果を表示入力部30に表示するようにしている。しかし、目的別のボタンの代わりに、サイト群に合致する検索結果をｗｅｂページの閲覧中に表示することも可能である。この場合は、図６に示す処理動作を行うことになる。図６に示す処理動作例では、所定の順位以上の目的別の検索結果の中に、目的別のサイト群に合致する検索結果がある場合は（ステップS5/Yes）、ｗｅｂページを表示している表示入力部30上に目的別のサイト群に合致する検索結果を表示するようにしている（ステップS10）。これにより、ｗｅｂページと共に目的別のサイト群に合致する検索結果を表示入力部30に表示することができる。その結果、ユーザは目的別の検索結果の閲覧操作を行わなくとも、目的別の検索結果を閲覧することができる。この場合、表示入力部30に表示する目的別の検索結果を所定の時間毎に画面遷移させて表示するようにすることが好ましい。
【００７５】
また、図５に示す処理動作例では、表示入力部30に表示されたｗｅｂページ上の文書を解析し、その文書の中からそのｗｅｂページの内容を表す代表的なキーワードを抽出することにしている（ステップS1）。しかし、ユーザがキーワードを入力するようにすることも可能である。この場合は、図７に示す処理動作を行うことになる。図７に示す処理動作例では、ユーザが検索したい事項に関する任意のキーワードを入力することになる（ステップS20）。そして、その入力されたキーワードと、キーワード辞書格納部21に格納されている目的別のキーワード辞書を構成するキーワード群と、を組み合わせた検索キーワードを作成する（ステップS21）。そして、その作成した検索キーワードを基に、目的別にｗｅｂ検索を行うことになる（ステップS3）。図７に示す処理動作を行うことで、ユーザが入力したキーワードを踏まえた『行きたい』、『見たい』、『買いたい』、『知りたい』の目的別の検索結果を得ることができるため、ユーザの所望する目的の事項のみを容易に検索することができる。ユーザが入力するキーワードは、任意の方法で入力することが可能であり、例えば、人手操作で入力しても音声で入力してもよい。
【００７６】
＜本実施形態の検索システムの作用・効果＞
このように、本実施形態の検索システムは、表示入力部30に表示されたｗｅｂページなどから抽出して入力したキーワードと、キーワード辞書格納部21に記憶されている目的別のキーワード辞書を構成するキーワード群と、を組み合わせて目的別にｗｅｂ検索を行い、目的別の検索結果を得る。そして、所定の順位以上の目的別の検索結果の中に、サイト辞書格納部22に記憶されている目的別のサイト辞書を構成するサイト群に合致する目的別の検索結果がある場合に、当該検索結果をユーザに通知する。
【００７７】
これにより、本実施形態の検索システムは、表示入力部30に表示されたｗｅｂページなどから抽出して入力したキーワードと、キーワード辞書格納部21に記憶されている目的別のキーワード辞書を構成するキーワード群と、を組み合わせて目的別にｗｅｂ検索を行って得られた所定の順位以上の目的別の検索結果の中に、サイト辞書格納部22に記憶されている目的別のサイト辞書を構成するサイト群に合致する目的別の検索結果がある場合に、当該検索結果をユーザに提供することができる。
【００７８】
表示入力部30に表示されたｗｅｂページなどから抽出して入力したキーワードと、キーワード辞書格納部21に記憶されている目的別のキーワード辞書を構成するキーワード群と、を組み合わせて目的別にｗｅｂ検索を行って得られた検索結果では、目的に合致する自然な検索結果が得られない場合がある。このため、本実施形態の検索システムは、所定の順位以上の目的別の検索結果の中に、サイト辞書格納部22に記憶されている目的別のサイト辞書を構成するサイト群に合致する目的別の検索結果がある場合に、当該検索結果をユーザに提供することにしている。ユーザは、その目的別の検索結果を調べることで、ユーザの所望する目的の事項を容易に調べることができる。その結果、ユーザの所望する目的の事項の検索を支援することができる。
【００７９】
例えば、「アベノミクス」＋「旅行」で検索すると、アベノミクスで海外からの旅行者が増えたなどのニュース記事が検索結果の上位を占めることになる。これにより、「行きたい」の目的として、おかしな検索結果をユーザに提供することを低減することができる。一方で、「アベノミクス」＋「とは」で検索すると、WikiPediaでの解説が検索結果の上位にくるので、「知りたい」の目的として、正しい検索結果をユーザに提供することができる。
【００８０】
また、本実施形態の検索システムは、所定の順位以上の目的別の検索結果と、目的別のサイト群と、を比較し、所定の順位以上の目的別の検索結果の中に、目的別のサイト群に合致する検索結果がある場合に、当該検索結果をユーザに提供することにしている。これにより、不自然な検索結果をユーザに提供することを低減することができる。
【００８１】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【００８２】
例えば、上記実施形態の検索装置100を構成する各部における制御動作は、ハードウェア、ソフトウェア、あるいは、両者の複合構成を用いて実行することも可能である。
【００８３】
なお、ソフトウェアを用いて処理を実行する場合には、処理シーケンスを記録したプログラムを、専用のハードウェアに組み込まれているコンピュータ内のメモリにインストールして実行させることが可能である。あるいは、各種処理が実行可能な汎用コンピュータ内のメモリにインストールして実行させることが可能である。
【００８４】
例えば、プログラムは、記録媒体としてのハードディスクやROM（Read Only Memory）に予め記録しておくことが可能である。あるいは、プログラムは、リムーバブル記録媒体に一時的、あるいは、永続的に格納（記録）しておくことが可能である。このようなリムーバブル記録媒体は、いわゆるパッケージソフトウエアとして提供することが可能である。リムーバブル記録媒体は、磁気ディスク、半導体メモリなどの各種記録媒体があげられる。
【００８５】
なお、プログラムは、上述したようなリムーバブル記録媒体からコンピュータにインストールすることになる。また、ダウンロードサイトからコンピュータに無線転送することになる。また、ネットワークを介してコンピュータに有線で転送することになる。
【００８６】
また、上記実施形態の検索システムを構成する各装置は、上記実施形態で説明した処理動作に従って時系列的に処理を実行するだけに限定するものでない。例えば、処理を実行する装置の処理能力、あるいは、必要に応じて並列的にあるいは個別に処理を実行するように構築することも可能である。
【符号の説明】
【００８７】
１００    検索装置
１０    制御部
１１    情報解析部
１２    検索部
１３    検索結果選別部
１４    検索結果表示部
２０    記憶部
２１    キーワード辞書格納部
２２    サイト辞書格納部
３０    表示入力部
２００    サーバ
４１    保存ボタン
４２    発信ボタン群
４３    レコメンドボタン群
【図１】
2015022559.tif 000003
【図２】
2015022559.tif 000004
【図３】
2015022559.tif 000005
【図４】
2015022559.tif 000006
【図５】
2015022559.tif 000007
【図６】
2015022559.tif 000008
【図７】
2015022559.tif 000009